(57)【特許請求の範囲】
【請求項１】
ビタミンＤの生成を促進する紫外光を放射する複数の光源を含む光源部と、
自装置が配置された室内においてユーザを検知するユーザ検知部と、
上記ユーザ検知部が上記室内において上記ユーザを検知した場合にのみ、上記光源部が点灯するよう、上記光源部の点灯を制御する点灯制御部と、を備え、
上記ユーザ検知部は、
上記室内を撮影する撮像部と、
上記撮像部から入力された上記室内の画像情報に基づいて、上記室内に上記ユーザが存在しているか否かを判定する存在判定部と、を備え、
上記存在判定部は、上記室内に上記ユーザが存在していると判定した場合にのみ、上記室内の画像情報に基づいて、上記室内における上記ユーザの存在位置を示す位置情報を生成し、
上記点灯制御部は、上記存在判定部から入力された上記位置情報に基づいて、上記複数の光源のうち上記ユーザの存在位置に最も近接する光源のみを点灯させることを特徴とする照明装置。
【請求項２】
身体装着型の紫外線照射量測定機器と照明装置とを備えた照明システムであって、
上記身体装着型の紫外線照射量測定機器は、
ある時点においてユーザが浴びた、ビタミンＤの生成を促進する紫外線の照射量を検知する紫外線照射量検知部と、
上記紫外線照射量検知部から入力された上記紫外線の照射量を順次積算していき、累積紫外線照射量を算出する累積紫外線照射量算出部と、
上記累積紫外線照射量算出部から入力された上記累積紫外線照射量が所定量に達しているか否かを判定し、判定結果を上記照明装置に送信する所定量判定部と、を備え、
上記照明装置は、
ビタミンＤの生成を促進する紫外光を放射する複数の光源を含む光源部と、
上記所定量判定部から受信した上記判定結果に基づいて、上記光源部の点灯を制御する点灯制御部と、を備え、
上記照明装置は、
上記照明装置が取り付けられた室内を撮影する撮像部と、
上記撮像部から入力された上記室内の画像情報に基づいて、上記室内に上記ユーザが存在しているか否かを判定する存在判定部と、をさらに備え、
上記存在判定部は、上記室内に上記ユーザが存在していると判定した場合にのみ、上記室内の画像情報に基づいて、上記室内における上記ユーザの存在位置を示す位置情報を生成し、
上記点灯制御部は、上記存在判定部から入力された上記位置情報に基づいて、上記複数の光源のうち上記ユーザの存在位置に最も近接する光源のみを点灯させることを特徴とする照明システム。
【請求項３】
身体装着型の紫外線照射量測定機器と照明装置とを備えた照明システムであって、
上記身体装着型の紫外線照射量測定機器は、
ある時点においてユーザが浴びた、ビタミンＤの生成を促進する紫外線の照射量を検知する紫外線照射量検知部と、
上記紫外線照射量検知部から入力された上記紫外線の照射量を順次積算して累積紫外線照射量を算出し、算出した上記累積紫外線照射量を上記照明装置に送信する累積紫外線照射量算出部と、を備え、
上記照明装置は、
ビタミンＤの生成を促進する紫外光を放射する複数の光源を含む光源部と、
上記累積紫外線照射量算出部から受信した上記累積紫外線照射量が、所定量に達しているか否かを判定する所定量判定部と、
上記所定量判定部から入力された判定結果に基づいて、上記光源部の点灯を制御する点灯制御部と、を備え、
上記照明装置は、
上記照明装置が取り付けられた室内を撮影する撮像部と、
上記撮像部から入力された上記室内の画像情報に基づいて、上記室内に上記ユーザが存在しているか否かを判定する存在判定部と、をさらに備え、
上記存在判定部は、上記室内に上記ユーザが存在していると判定した場合にのみ、上記室内の画像情報に基づいて、上記室内における上記ユーザの存在位置を示す位置情報を生成し、
上記点灯制御部は、上記存在判定部から入力された上記位置情報に基づいて、上記複数の光源のうち上記ユーザの存在位置に最も近接する光源のみ点灯させることを特徴とする照明システム。
【発明の詳細な説明】
【技術分野】
【０００１】
本発明は、紫外光を放射する照明装置および該照明装置を備えた照明システムに関する。
【背景技術】
【０００２】
近年、紫外光の放射を制御することができる照明装置および照明システムの開発が進められている。例えば、特許文献１には、主に２８０ｎｍ〜３１５ｎｍの波長域の紫外光を放射する光源部、室内の所定位置に照射される紫外光の放射量を測定する紫外放射量測定手段、および紫外光の放射量が所定量に達した時に光源部を消灯制御する制御手段を具備した照明システムが開示されている。この照明システムは、主に２８０ｎｍ〜３１５ｎｍの波長域の紫外光を人体に照射することで、人体内でのビタミンＤ３の生成を促進させるとともに、該紫外光の人体への過剰照射を防止するものである。
【先行技術文献】
【特許文献】
【０００３】
【特許文献１】特開２００６−３１８８４７号公報（２００６年１１月２４日公開）
【発明の概要】
【発明が解決しようとする課題】
【０００４】
しかしながら、特許文献１に開示された照明システムは、紫外放射量測定手段により測定した紫外光の放射量が人体に悪影響を与えない所定量に達したときに、制御手段によって光源部を消灯制御して紫外光の放射を停止させるものである。すなわち、この照明システムが備える制御手段は、紫外光の過剰照射による人体への悪影響を防止するために紫外光の放射制御を行うものであり、室内に人が存在する場合にのみ光源部が点灯するよう、該光源部の点灯を制御するものではない。したがって、上記照明システムには、室内に人がいない場合であっても光源部が点灯したままの状態になってしまうという、無駄な光源部の点灯状態が発生するおそれがあった。そのため、上記照明システムには、光源部の寿命が短くなるという問題点があった。
【０００５】
本発明は、上記の問題点を解決するためになされたものであり、その目的は、美肌効果に優れ、かつ、人体に対する安全性の高い紫外光を放射する光源部について、その寿命を伸長させることができる照明装置および照明システムを提供することにある。
【課題を解決するための手段】
【０００６】
上記の課題を解決するために、本発明の一態様に係る照明装置は、
ビタミンＤの生成を促進する紫外光を放射する光源部と、
自装置が配置された室内においてユーザを検知するユーザ検知部と、
上記ユーザ検知部が上記室内において上記ユーザを検知した場合にのみ、上記光源部が点灯するよう、上記光源部の点灯を制御する点灯制御部と、を備えている。
【０００７】
また、本発明の一態様に係る照明システムは、
身体装着型の紫外線照射量測定機器と照明装置とを備えた照明システムであって、
上記身体装着型の紫外線照射量測定機器は、
ある時点においてユーザが浴びた、ビタミンＤの生成を促進する紫外線の照射量を検知する紫外線照射量検知部と、
上記紫外線照射量検知部から入力された上記紫外線の照射量を順次積算していき、累積紫外線照射量を算出する累積紫外線照射量算出部と、
上記累積紫外線照射量算出部から入力された上記累積紫外線照射量が所定量に達しているか否かを判定し、判定結果を上記照明装置に送信する所定量判定部と、を備え、
上記照明装置は、
ビタミンＤの生成を促進する紫外光を放射する光源部と、
上記所定量判定部から受信した上記判定結果に基づいて、上記光源部の点灯を制御する点灯制御部と、を備えている。
【０００８】
さらに、本発明の一態様に係る照明システムは、
身体装着型の紫外線照射量測定機器と照明装置とを備えた照明システムであって、
上記身体装着型の紫外線照射量測定機器は、
ある時点においてユーザが浴びた、ビタミンＤの生成を促進する紫外線の照射量を検知する紫外線照射量検知部と、
上記紫外線照射量検知部から入力された上記紫外線の照射量を順次積算して累積紫外線照射量を算出し、算出した上記累積紫外線照射量を上記照明装置に送信する累積紫外線照射量算出部と、を備え、
上記照明装置は、
ビタミンＤの生成を促進する紫外光を放射する光源部と、
上記累積紫外線照射量算出部から受信した上記累積紫外線照射量が、所定量に達しているか否かを判定する所定量判定部と、
上記所定量判定部から入力された判定結果に基づいて、上記光源部の点灯を制御する点灯制御部と、を備えている。
【発明の効果】
【０００９】
本発明の一態様によれば、人体内でのビタミンＤの生成を促進し、美肌効果に優れ、かつ、人体に対する安全性の高い紫外光を放射する光源部について、無駄な点灯を防止することにより、該光源部の寿命を伸長させることができる。
【図面の簡単な説明】
【００１０】
【図１】本発明の実施形態１に係る照明装置の概略構成を示すブロック図である。
【図２】上記照明装置の模式的外観斜視図である。
【図３】上記照明装置の主要部の配置を示す概略図である。
【図４】上記照明装置が備える光源部の概略を示す正面図である。
【図５】上記照明装置が備える光源部の概略を示す側面図である。
【図６】本発明の実施形態１に係る照明装置による、光源部の点灯の制御方法を示すフローチャートである。
【図７】本発明の実施形態２に係る照明装置の概略構成を示すブロック図である。
【図８】本発明の実施形態２に係る照明装置による、光源部の点灯の制御方法を示すフローチャートである。
【図９】本発明の実施形態３および４に係る照明装置の概略構成を示すブロック図である。
【図１０】本発明の実施形態３に係る照明装置の模式的外観斜視図である。
【図１１】上記照明装置の主要部の配置を示す概略図である。
【図１２】本発明の実施形態３に係る照明装置による、第１光源部および第２光源部の点灯の制御方法を示すフローチャートである。
【図１３】本発明の実施形態４に係る照明装置の主要部の配置を示す概略図である。
【図１４】上記照明装置が配置された室内の概略図である。
【図１５】本発明の実施形態４に係る照明装置による、第１光源部および第２光源部の点灯の制御方法を示すフローチャートである。
【図１６】本発明の実施形態５に係る照明システムの概略構成を示すブロック図である。
【図１７】本発明の実施形態５に係る照明システムによる、第１光源部および第２光源部の点灯の制御方法を示すフローチャートである。
【図１８】本発明の実施形態６に係る照明システムの概略構成を示すブロック図である。
【発明を実施するための形態】
【００１１】
〔実施形態１〕
以下、本発明に係る一実施形態について、図１〜図６に基づいて説明すれば、以下のとおりである。
【００１２】
＜照明装置１００の概要＞
図２は、本発明の一実施形態に係る照明装置１００の模式的外観斜視図である。また、図３は、照明装置１００の主要部の配置を示す概略図である。照明装置１００は、室内を明るくするための可視光を放射するとともに、人体内でのビタミンＤの生成を促進する紫外光を放射する。また、照明装置１００は、自装置が配置されている室内にユーザがいる場合にのみ、上記可視光および紫外光を放射する。照明装置１００は、天井等の被取付部材（図示せず）に取り付けられるとともに、図２に示すように、シャーシ１、リングカバー８、センタカバー９および人感センサ（図示せず）を備えている。
【００１３】
シャーシ１は、後述する光源部２、アダプタ５、基板カバー６、制御基板７、電源部６０およびその他の部品を保持するものであり、中央に円形状の穴部を有する円板状の基部（図示せず）と、該基部の外周縁に設けられた周壁部（図示せず）とを備えている。シャーシ１は、鉄、アルミニウム等の金属製であり、光源部２等の発熱体から熱を放熱するヒートシンクとしての機能も有している。リングカバー８は、光源部２および後述する反射シート４を覆うものであり、中央に円形状の穴部を有する円板状の環状部（図示せず）と、該環状部の外周縁に設けられた周壁部（図示せず）とで構成される。リングカバー８は、その周壁部がシャーシ１の周壁部に取り付けられる。リングカバー８の環状部に設けられた穴部は、円板状の電源カバーとしてのセンタカバー９によって塞がれている。
【００１４】
図３に示すように、シャーシ１の基部に設けられた穴部には、アダプタ５が取り付けられる。アダプタ５は、扁平な円柱形状であり、円形の面の一端側に、天井等の被取付部材に設けられた被取付体（引掛シーリングボディ等）の係合穴に係合する引掛刃（図示せず）と、電源部６０に接続されるコネクタとを有している。アダプタ５は、上記係合穴に引掛刃を係合させることにより、電気的、機械的に被取付体に接続される。そして、被取付体に接続しているアダプタ５にシャーシ１を取り付けることにより、シャーシ１が天井等の被取付部材に取り付けられることになる。
【００１５】
また、シャーシ１の基部におけるリングカバー８と対向する側の面には、光源部２が後述する光源保持部３を介してアダプタ５の四方を取り囲むように（すなわち、略正方形状に）配置されている。光源部２は、図４に示すように、矩形板状の基板２１と、該基板２１の長辺に沿って列状に実装された、人体内でのビタミンＤの生成を促進する紫外光を放射する第１光源１０と、該第１光源１０の列と平行になるよう基板２１の長辺に沿って列状に実装された、可視光を放射する第２光源２０とを備えている。そして、基板２１における長辺を含む面が、シャーシ１の基部におけるリングカバー８と対向する側の面と平行になるように配置される。
【００１６】
第１光源１０から放射される上記紫外光は、一般にＵＶ−Ｂと呼ばれ、その波長域が２８０ｎｍ以上３１５ｎｍ以下のものを指す（以下、第１光源１０から放射される紫外光を「ＵＶ−Ｂ」とする）。なお、ＵＶ−Ｂの中でも、その波長域が３００ｎｍ以上３１５ｎｍ以下の紫外光が人体内でのビタミンＤの生成を促進する。また、波長域が３００ｎｍ以上３１５ｎｍ以下の紫外線は、サンバーン、サンタン、シミ・しわ等の症状の発症を防ぐことができるので、人体に対する安全性が高い。そのため、第１光源１０には、３００ｎｍ以上３１５ｎｍ以下の波長域の紫外光を放射する光源を用いるのが好ましい。さらに、ビタミンＤの生成をより促進させるためには、３００ｎｍ以上３１０ｎｍ以下の波長域の紫外光を放射する光源を用いるのが好ましい。
【００１７】
第２光源２０としては、例えば、ＬＥＤ素子と、該ＬＥＤ素子を封止する、蛍光体が分散された封止樹脂と、入出力端子とを備える表面実装型ＬＥＤが用いられる。なお、第２光源２０としては、上記ＬＥＤの他、ＥＬ（Ｅｌｅｃｔｒｏ  Ｌｕｍｉｎｅｓｃｅｎｃｅ）等を用いてもよい。
【００１８】
なお、第１光源１０および第２光源２０の基板２１上の配置は、上記の場合に限定されない。例えば、基板２１における長辺を含む面の方向を上下方向とした場合に、第１光源１０の列と第２光源２０の列とを上下逆にしてもよい。また、第１光源１０と第２光源２０とが、基板２１の長辺方向に交互に配置（１列でも複数列でもよい）されてもよい。
【００１９】
また、光源部２の個数についても上記の場合に限定されず、例えば、６個または８個用いることで、略正六角形状または略正八角形状に配置してもよい。すなわち、複数の光源部２を多角形状に配することにより、隣接する光源部２間の境界部分が暗くなることが防止され、周方向位置によって輝度の差が生じなければよい。
【００２０】
シャーシ１には、光源部２から放射される光（可視光およびＵＶ−Ｂ）を反射する反射部としての反射シート４が取り付けられている。反射シート４は、中央に光源部２の配置状態に合わせた正方形状の穴部を有する円板部（図示せず）と、該円板部の外周縁に設けられた周壁部（図示せず）とで構成される。反射シート４は、樹脂製であり、乱反射しやすいように表面加工が施されている。
【００２１】
シャーシ１の基部と光源部２とにより形成される空洞内には、矩形板状の制御基板７が取り付けられている。制御基板７は、照明装置１００を統括的に制御する制御部４０としての役割を果たすものであり、制御用のマイクロコンピュータ、調光回路部品等の電子部品（図示せず）が実装されている。また、制御基板７のアダプタ５に関して反対側の位置には、略Ｃ字状の基板に実装された、整流回路およびトランス等を有する電源部６０が取り付けられている。電源部６０は、光源部２および制御基板７と配線（図示せず）によって電気的に接続されている。そして、制御基板７および電源部６０が取り付けられている上記空洞は、基板カバー６によって塞がれる。
【００２２】
さらに、図５に示すように、光源部２は、断面略コの字形状の光源保持部３における、矩形板状の保持板部３ａに取り付けられる。また、光源保持部３は、保持板部３ａにおける光源部２が取り付けられている面をシャーシ１の外縁部に向けて、保持板部３ａが略正方形状の周壁を形成するように、シャーシ１の基部に取り付けられる。このように光源保持部３をシャーシ１に取り付けることにより、光源部２は、基板２１がシャーシ１の基部の径方向と略直交するように保持されることになる。また、光源部２を点灯した場合、該光源部２からの光（可視光およびＵＶ−Ｂ）は、シャーシ１の基部の中央から外縁部の方向に放射状に出射されることになる。
【００２３】
＜照明装置１００の具体的構成＞
次に、照明装置１００の具体的構成について、図１を用いて説明する。図１は、照明装置１００の具体的構成を示すブロック図である。図１に示すように、照明装置１００は、光源部２、ユーザ検知部３０、制御部４０および電源部６０を備えている。
【００２４】
ユーザ検知部３０は、照明装置１００が配置された室内においてユーザを検知するものであり、人感センサ３０ａを備えている。人感センサ３０ａは、上記室内の温度と温度差のあるものが動いたときに、その動きを検知することによって、上記室内にユーザが存在するか否かを検知する。したがって、例えば、ユーザ検知部３０に記憶部を設けて、該記憶部にあらかじめユーザの体温を記憶させておくことにより、上記室内においてユーザを精度高く検知することができる。また、ユーザ検知部３０に入力部を設けて、該入力部からユーザが自身の体温を入力できるようにしてもよい。
【００２５】
制御部４０は、ユーザ検知部３０が上記室内においてユーザを検知した場合にのみ光源部２（すなわち、第１光源１０および第２光源２０）が点灯するよう、光源部２の点灯を制御する点灯制御部５０を備えている。この点灯制御部５０による点灯制御によって、光源部２は、照明装置１００が配置された室内にユーザがいる場合にのみ点灯し、該室内からユーザがいなくなったらその点灯は終了（すなわち消灯）する。
【００２６】
また、点灯制御部５０は、第１光源１０の点灯時間が所定時間を経過した場合、第１光源１０の点灯を終了させる。これは、ＵＶ−Ｂといえども一定時間以上人体に照射すれば健康を害することから、人体への悪影響を考慮したものである。紫外線の許容量はスキンタイプによって異なることから、上記所定時間はユーザのスキンタイプに応じて任意に設定可能である。例えば、日本人に多いスキンタイプIIIを基準として所定時間を設定した場合、第１光源１０から放射されるＵＶ−Ｂのパワーを３０ｍＷとすれば、所定時間は６分程度となる。ここで、スキンタイプとは、人間の皮膚を紫外線に対する反応性の違いで６種類に分類したものであり、スキンタイプIからスキンタイプVIまである。
【００２７】
なお、ユーザが受容可能なＵＶ−Ｂの最大許容量は、例えば皮膚紅斑量に準じて決定され、スキンタイプがIであるユーザの最大許容量は２００Ｊ／ｍ２であり、スキンタイプがII〜VIであるユーザの最大許容量は、順に２５０、３００、４５０、６００、１０００Ｊ／ｍ２である。
【００２８】
第１光源１０から放射されるＵＶ−Ｂの照射量は、上述した最大許容量以下の値に決定される。一例として、スキンタイプがIであるユーザに対する照射量は１２０Ｊ／ｍ２であり、スキンタイプがII〜VIであるユーザに対する照射量は、順に１５０、１８０、２７０、３６０、６００Ｊ／ｍ２とする。
【００２９】
なお、所定時間は、照明装置１００の記憶部（図示せず）にあらかじめ記憶させておいてもよいし、照明装置１００の入力部（図示せず）から、ユーザが入力してもよい。また、点灯時間が所定時間を経過した場合に第１光源１０の点灯を終了させることは必須ではなく、点灯制御部５０は、少なくとも照明装置１００が配置された室内にユーザがいる場合にのみ光源部２が点灯するよう、点灯制御できるものであればよい。
【００３０】
＜照明装置１００による光源部２の点灯の制御方法＞
次に、図６を用いて、照明装置１００による光源部２の点灯の制御方法について説明する。図６は、上記制御方法を示すフローチャートである。図６に示すように、まず、ユーザ検知部３０は、照明装置１００が配置された室内においてユーザを検知した場合（ステップ１００（第１ユーザ検知工程）でＹＥＳ；以下、「Ｓ１００でＹ」と略記する）、その旨の検知結果を点灯制御部５０に出力する。一方、ユーザを検知しない場合（Ｓ１００でＮＯ；以下、「Ｎ」と略記する）、ユーザ検知部３０は、上記室内にユーザがいるか否かを再び検知する。次に、点灯制御部５０は、ユーザ検知部３０から上記検知結果が入力された場合、光源部２（すなわち、第１光源１０および第２光源２０）を点灯させる（Ｓ１０１、光源部点灯工程）。
【００３１】
次に、点灯制御部５０は、第１光源１０の点灯時間が所定時間を経過したか否かを判定する（Ｓ１０２、時間経過判定工程）。Ｓ１０２でＹと判定した場合、点灯制御部５０は、第１光源１０を消灯させる（Ｓ１０３、第１光源消灯工程）。一方、Ｓ１０２でＮと判定した場合、点灯制御部５０は、第１光源１０の点灯を維持するとともに、後述するＳ１０４の処理に移行する。
【００３２】
点灯制御部５０が第１光源１０を消灯させた後、ユーザ検知部３０が上記室内にユーザがいないことを検知した場合（Ｓ１０４（第２ユーザ検知工程）でＹ）、点灯制御部５０は、第２光源２０も消灯させる（Ｓ１０５、光源部消灯工程）。一方、Ｓ１０４でＮと判定した場合、点灯制御部５０は、第１光源１０の消灯および第２光源２０の点灯を維持する。
【００３３】
また、第１光源１０の点灯が維持されている状態で、ユーザ検知部３０が上記室内にユーザがいないことを検知した場合（Ｓ１０４でＹ）、点灯制御部５０は、光源部２を消灯させる（Ｓ１０５）。一方、Ｓ１０４でＮと判定した場合、点灯制御部５０は、第１光源１０の点灯時間が所定時間を経過したか否かを再び判定する。
【００３４】
＜効果＞
以上のように、本実施形態によれば、照明装置１００は、ＵＶ−Ｂを放射する光源部２について、ユーザ検知部３０がユーザを検知した場合にのみ光源部２を点灯させることから、照明装置１００が配置された室内にユーザがいない場合には、光源部２は点灯しない。そのため、ＵＶ−Ｂを放射する光源部２について無駄な点灯を防止することができ、ひいては光源部２の寿命を伸長させることができる。
【００３５】
また、照明装置１００は、光源部２に備えられる、ＵＶ−Ｂを放射する第１光源１０の点灯時間が所定時間を経過した場合、第１光源１０を消灯させる。前記所定時間は、ユーザのスキンタイプに応じて任意に設定できることから、ＵＶ−Ｂの過剰照射による人体へのサンバーン、サンタン、シミ・しわ等の症状などの悪影響を防止することができる。そして、第１光源１０については、無駄な点灯をより防止できることから、第２光源２０に比して、第１光源１０の寿命をより伸長させることができる。
【００３６】
また、本実施形態によれば、ユーザは、ユーザ自身の体内でビタミンＤの生成を促進することが可能となる。本来、ビタミンＤには新しい肌細胞を成長させる効果があると言われている。それゆえ、肌荒れを治したり、コラーゲン生成を促したり、くすみを解消するなどの美肌効果を奏することが可能となる。
【００３７】
さらに、本実施形態によれば、ビタミンＤの生成を促進する紫外光のうち長波長の紫外光（例えば、波長が３００ｎｍ〜３１５ｎｍ波長域の光）が、ユーザに照射される。このため、紫外光によるユーザへのサンバーン、サンタン、シミ・しわ等の症状などの悪影響を防止しつつ、ビタミンＤの生成を促進することが可能となる。
【００３８】
〔実施形態２〕
本発明の他の実施形態について、図７および図８に基づいて説明すれば、以下のとおりである。なお、説明の便宜上、前記実施形態にて説明した部材と同じ機能を有する部材については、同じ符号を付記し、その説明を省略する。
【００３９】
＜照明装置２００の具体的構成＞
照明装置２００の具体的構成について、図７を用いて説明する。図７は、照明装置２００の具体的構成を示すブロック図である。図７に示すように、本実施形態に係る照明装置２００は、ユーザ検知部３０に代えてユーザ検知部３１を備えている点で、実施形態１に係る照明装置１００と異なる。ユーザ検知部３１は、撮像部３１ａおよび存在判定部３１ｂを備えている。
【００４０】
撮像部３１ａは、照明装置２００が配置された室内を撮影することで該室内の画像情報を生成し、該画像情報を存在判定部３１ｂに出力するものであり、小型カメラ等が用いられる。存在判定部３１ｂは、上記室内の画像情報に基づいて、上記室内にユーザが存在しているか否かを判定し、判定結果を点灯制御部５０に出力する。存在判定部３１ｂによる判定方法としては、例えば、パターンマッチング等の手法を利用することができる。
【００４１】
点灯制御部５０は、存在判定部３１ｂが上記室内にユーザが存在していると判定した場合にのみ光源部２を点灯させる。
【００４２】
＜照明装置２００による光源部２の点灯の制御方法＞
次に、図８を用いて、照明装置２００による光源部２の点灯の制御方法について説明する。図８は、上記制御方法を示すフローチャートである。図８に示すように、まず、撮像部３１ａは、照明装置２００が配置された室内を撮影して画像情報を生成し、該画像情報を存在判定部３１ｂに出力する（Ｓ２００、第１室内撮影工程）。
【００４３】
次に、存在判定部３１ｂは、上記画像情報に基づいて上記室内にユーザが存在すると判定した場合（Ｓ２０１（第１存在判定工程）でＹ）、その旨の判定結果を点灯制御部５０に出力する。一方、Ｓ２０１でＮと判定した場合、存在判定部３１ｂは、上記室内にユーザが存在するか否かを再び判定する。次に、点灯制御部５０は、存在判定部３１ｂから上記判定結果が入力された場合、光源部２（すなわち、第１光源１０および第２光源２０）を点灯させる（Ｓ２０２、光源部点灯工程）。
【００４４】
次に、点灯制御部５０は、第１光源１０の点灯時間が所定時間を経過したか否かを判定する（Ｓ２０３、時間経過判定工程）。Ｓ２０３でＹと判定した場合、点灯制御部５０は、第１光源１０を消灯させる（Ｓ２０４、第１光源消灯工程）。一方、Ｓ２０３でＮと判定した場合、点灯制御部５０は、第１光源１０の点灯を維持するとともに、後述するＳ２０５の処理に移行する。
【００４５】
点灯制御部５０が第１光源１０を消灯させた場合、撮像部３１ａは、再び照明装置２００が配置された室内を撮影して画像情報を生成し、該画像情報を存在判定部３１ｂに出力する（Ｓ２０５、第２室内撮影工程）。そして、上記画像情報に基づいて上記室内にユーザが存在しないと判定した場合（Ｓ２０６（第２存在判定工程）でＹ）、点灯制御部５０は、第２光源２０も消灯させる（Ｓ２０７、光源部消灯工程）。一方、Ｓ２０６でＮと判定した場合、点灯制御部５０は、第１光源１０の消灯および第２光源２０の点灯を維持する。
【００４６】
また、第１光源１０の点灯が維持されている状態でも、撮像部３１ａは、再び照明装置２００が配置された室内を撮影して画像情報を生成し、該画像情報を存在判定部３１ｂに出力する（Ｓ２０５）。そして、上記画像情報に基づいて上記室内にユーザが存在しないと判定した場合（Ｓ２０６でＹ）、点灯制御部５０は、光源部２を消灯させる（Ｓ２０７）。一方、Ｓ２０６でＮと判定した場合、点灯制御部５０は、第１光源１０の点灯時間が所定時間を経過したか否かを再び判定する。
【００４７】
＜効果＞
以上のように、本実施形態によれば、照明装置２００は、該照明装置２００が配置された室内の画像情報に基づいて、該室内にユーザが存在するか否かを判定する。画像情報は、撮像対象を精密に映し出すことから、例えば、照明装置２００の記憶部（図示せず）にユーザの画像情報を入力しておくことによって、照明装置２００は、精度高く上記室内にユーザが存在するか否かを判定することができる。また、画像情報は、上記室内の温度変化の影響を受けないため、照明装置２００は、一年を通じて安定した精度で上記室内にユーザが存在するか否かを判定することができる。そのため、より確実に、無駄な光源部２の点灯を防止することができる。
【００４８】
また、本実施形態によれば、ユーザは、ユーザ自身の体内でビタミンＤの生成を促進することが可能となる。本来、ビタミンＤには新しい肌細胞を成長させる効果があると言われている。それゆえ、肌荒れを治したり、コラーゲン生成を促したり、くすみを解消するなどの美肌効果を奏することが可能となる。
【００４９】
〔実施形態３〕
本発明の他の実施形態について、図９〜図１２に基づいて説明すれば、以下のとおりである。なお、説明の便宜上、前記実施形態にて説明した部材と同じ機能を有する部材については、同じ符号を付記し、その説明を省略する。
【００５０】
＜照明装置３００の概要＞
図１０は、本実施形態に係る照明装置３００の模式的外観斜視図である。また、図１１は、照明装置３００の主要部の配置を示す概略図である。本実施形態に係る照明装置３００は、図１０に示すように、センタカバー９に代えて中央に穴部９ｂが設けられたセンタカバー９ａを備えている点で、実施形態１および２に係る照明装置１００および２００と異なる。また、照明装置３００は、図１０および図１１に示すように、光源部２に代えて第１光源部（光源部）２ａおよび第２光源部２ｂを備えている点でも、照明装置１００および２００と異なる。
【００５１】
第１光源部２ａは、図１０に示すように、シャーシ１の基部（図示せず）に設けられ、穴部９ｂから一部が突出している保持部２ｃに、可動な状態で保持されている。第１光源部２ａは第１光源１０を備えており、後述する点灯制御部５１によって、照明装置３００が配置された室内の全方位にＵＶ−Ｂを放射できるように作動する。
【００５２】
第２光源部２ｂは、図１１に示すように、光源部２と同様の形状、配置および個数となっている。ただし、第２光源２０の列のみで構成されている点が、光源部２と異なる。なお、第２光源２０の配置および第２光源部２ｂの個数については、光源部２と同様のバリエーションを採用することができる。
【００５３】
＜照明装置３００の具体的構成＞
照明装置３００の具体的構成について、図９を用いて説明する。図９は、照明装置３００および４００の具体的構成を示すブロック図である。照明装置３００は、ユーザ検知部３１に代えてユーザ検知部３２を備えている点で、照明装置２００と異なる。また、照明装置３００は、制御部４０に代えて制御部４１（点灯制御部５１）を備えている点で、照明装置１００および２００と異なる。
【００５４】
ユーザ検知部３２は、存在判定部３１ｂに代えて存在判定部３２ｂを備えている。存在判定部３２ｂは、撮像部３１ａから入力された画像情報に基づいて、照明装置３００が配置された室内にユーザが存在しているか否かを判定する。また、存在判定部３２ｂは、前記室内にユーザが存在していると判定した場合にのみ、上記画像情報に基づいて該室内におけるユーザの存在位置を示す位置情報を生成する。
【００５５】
存在判定部３２ｂによる位置情報の生成方法としては、例えば次の方法を挙げることができる。すなわち、撮像部３１ａから入力された画像情報から、パターンマッチング等の手法を利用してユーザの存在を確認する。そして、確認されたユーザの画像内での大きさ、または、画像に写っている室内の設置物等とユーザとの位置関係からユーザの存在位置を割り出すことにより位置情報を生成するという方法を採用することができる。
【００５６】
点灯制御部５１は、存在判定部３２ｂから入力された位置情報に基づいて、第１光源部２ａにおけるＵＶ−Ｂの放射方向をユーザの存在位置にのみ向けた後、第１光源部２ａを点灯させる。
【００５７】
また、点灯制御部５１は、存在判定部３２ｂが、照明装置３００が配置された室内にユーザが存在していると判定した場合にのみ第２光源部２ｂを点灯させる。なお、第１光源部２ａの点灯時間が所定時間を経過した場合に第１光源部２ａを消灯させる点、前記消灯制御が必須でない点は、点灯制御部５０と同様である。
【００５８】
＜照明装置３００による第１光源部２ａおよび第２光源部２ｂの点灯の制御方法＞
次に、図１２を用いて、照明装置３００による第１光源部２ａおよび第２光源部２ｂの点灯の制御方法について説明する。図１２は、上記制御方法を示すフローチャートである。図１２に示すように、まず、撮像部３１ａは、照明装置３００が配置された室内を撮影して画像情報を生成し、該画像情報を存在判定部３２ｂに出力する（Ｓ３００、第１室内撮影工程）。
【００５９】
次に、存在判定部３２ｂは、上記画像情報に基づいて上記室内にユーザが存在すると判定した場合（Ｓ３０１（第１存在判定工程）でＹ）、その旨の判定結果を点灯制御部５１に出力する。また、存在判定部３２ｂは、上記画像情報に基づいて位置情報を生成し、該位置情報も点灯制御部５１に出力する。一方、Ｓ３０１でＮと判定した場合、存在判定部３２ｂは、上記室内にユーザが存在するか否かを再び判定する。
【００６０】
次に、点灯制御部５１は、上記位置情報に基づいて、第１光源部２ａにおけるＵＶ−Ｂの放射方向をユーザの存在位置にのみ向ける（Ｓ３０２、第１光源部作動工程）。
【００６１】
なお、Ｓ３０３〜Ｓ３０８の処理は、第１光源部２ａを第１光源１０と置き換え、第２光源部２ｂを第２光源２０と置き換えれば、図８のフローチャートにおけるＳ２０２〜Ｓ２０７の処理と同様であるため、その説明を省略する。
【００６２】
＜効果＞
以上のように、本実施形態によれば、照明装置３００は、該照明装置３００が配置された室内にユーザが存在していると判定した場合にのみ、位置情報に基づいて、第１光源部２ａにおけるＵＶ−Ｂの放射方向をユーザの存在位置にのみ向ける。そのため、ユーザの存在位置以外の場所にはＵＶ−Ｂは放射されないことから、第１光源部２ａについては、より効果的に無駄な点灯を防止することができる。また、ユーザに対してより確実にＵＶ−Ｂを放射することができる。
【００６３】
また、本実施形態によれば、ＵＶ−Ｂはユーザの存在位置にのみ向け放射され、ユーザの存在位置以外の場所にはＵＶ−Ｂは放射されないことから、室内にプラスチック製品が置いてある場合、プラスチック製品にＵＶ−Ｂが過剰に照射され、プラスチック製品が劣化してしまうことを軽減することができる。
【００６４】
〔実施形態４〕
本発明の他の実施形態について、図９および図１３〜図１５に基づいて説明すれば、以下のとおりである。なお、説明の便宜上、前記実施形態にて説明した部材と同じ機能を有する部材については、同じ符号を付記し、その説明を省略する。
【００６５】
＜照明装置４００の概要＞
図１３は、照明装置３００の主要部の配置を示す概略図である。本実施形態に係る照明装置４００は、図１３に示すように、光源部２に代えて第１光源部（光源部）２ａ´および第２光源部２ｂを備えている点で、実施形態１および２に係る照明装置１００および２００と異なる。また、照明装置４００は、第１光源部２ａに代えて第１光源部２ａ´を備えている点で、実施形態３に係る照明装置３００とも異なる。
【００６６】
第１光源部２ａ´は、図１３に示すように、ＵＶ−Ｂを放射する第１光源１０ａ〜１０ｄを備えている。第１光源１０ａ〜１０ｄは、４個の第２光源部２ｂに取り囲まれることにより形成された略正方形状の領域の四隅に配置されるよう、シャーシ１の基部（図示せず）に取り付けられている。なお、第１光源部２ａ´に備えられる第１光源の個数については、上記４個に限定されない。すなわち、複数の第２光源部２ｂに取り囲まれることによって形成される領域の形状に併せて、例えば４個より多く配置することができる。
【００６７】
＜第１光源１０ａ〜１０ｄの点灯態様＞
次に、図１３および図１４を用いて、第１光源１０ａ〜１０ｄの点灯態様について説明する。図１４は、照明装置４００が配置された室内９００の概略図である。
【００６８】
照明装置４００は、室内９００の天井（被取付部材、図示せず）における略中央部に取り付けられる。前記取り付けの際、室内を第１エリア９１０〜第４エリア９４０に４等分し、第１エリア９１０に第１光源１０ａを最も近接させる。同様に、第２エリア９２０と第１光源１０ｂ、第３エリア９３０と第１光源１０ｃ、第４エリア９４０と第１光源１０ｄとが最も近接するよう、照明装置４００を配置する。
【００６９】
そして、後述する点灯制御部５２によって、第１エリア９１０にユーザが存在する場合は第１光源１０ａが点灯する。同様に、第２エリア９２０にユーザが存在する場合は第１光源１０ｂが、第３エリア９３０にユーザが存在する場合は第１光源１０ｃが、第４エリア９４０にユーザが存在する場合は第１光源１０ｄが、それぞれ点灯する。
【００７０】
なお、第１光源１０ａ〜１０ｄの点灯態様は上記場合に限定されない。例えば、第１エリア９１０と第２エリア９２０との境界付近ユーザが存在する場合、第１光源１０ａと第１光源１０ｂとを同時に点灯させる等、複数の第１光源を同時に点灯させてもよい。また、室内９００におけるエリアの設定についても、上記第１エリア９１０〜第４エリア９４０の４つのエリアに限定されず、第１光源部２ａ´が備える第１光源の個数に応じてエリアを設定することができる。
【００７１】
＜照明装置４００の具体的構成＞
照明装置４００の具体的構成について、図９を用いて説明する。図９は、照明装置３００および４００の具体的構成を示すブロック図である。照明装置４００は、ユーザ検知部３１に代えてユーザ検知部３２を備えている点で、照明装置２００と異なる。また、照明装置４００は、制御部４０および４１に代えて制御部４２（点灯制御部５２）を備えている点で、照明装置１００〜３００と異なる。さらに、照明装置４００は、第１光源部２ａに代えて第１光源部２ａ´を備えている点で、照明装置３００と異なる。
【００７２】
点灯制御部５２は、存在判定部３２ｂから入力された位置情報に基づいて、ユーザが第１エリア９１０〜第４エリア９４０のいずれのエリアに存在するかを判定する。そして、第１光源１０ａ〜１０ｄのうち、ユーザが存在すると判定されたエリアに対応付けられた第１光源を選択し、点灯させる。換言すれば、点灯制御部５２は、存在判定部３２ｂから入力された位置情報に基づいて、第１光源１０ａ〜１０ｄのうちユーザの存在位置に最も近接する第１光源のみを点灯させる。
【００７３】
また、点灯制御部５２は、存在判定部３２ｂが、照明装置４００が配置された室内にユーザが存在していると判定した場合にのみ第２光源部２ｂを点灯させる。なお、点灯している第１光源の点灯時間が所定時間を経過した場合に該第１光源を消灯させる点、前記消灯制御が必須でない点は、点灯制御部５０および５１と同様である。
【００７４】
＜照明装置４００による第１光源部２ａ´および第２光源部２ｂの点灯の制御方法＞
次に、図１５を用いて、照明装置４００による第１光源部２ａ´および第２光源部２ｂの点灯の制御方法について説明する。図１５は、上記制御方法を示すフローチャートである。図１５に示すように、点灯制御部５２は、存在判定部３２ｂから入力された位置情報に基づいて、ユーザが第１エリア９１０〜第４エリア９４０のいずれのエリアに存在するかを判定する。そして、第１光源部２ａ´に備えられた第１光源１０ａ〜１０ｄのうち、ユーザが存在すると判定されたエリアに対応付けられた第１光源を選択する（Ｓ４０２、第１光源選択工程）。
【００７５】
なお、上記Ｓ４０２以外の各ステップにおける処理は、第１光源を第１光源部２ａに置き換えれば、図１２のフローチャートにおけるＳ３００、Ｓ３０１、Ｓ３０３〜Ｓ３０８の処理と同様であるため、その説明を省略する。
【００７６】
＜効果＞
以上のように、本実施形態によれば、照明装置４００は、該照明装置４００が配置された室内にユーザが存在していると判定した場合にのみ、位置情報に基づいて、第１光源１０ａ〜１０ｄのうちユーザの存在位置に最も近接する第１光源のみを点灯させる。そのため、第１光源部２ａ´については、ユーザの存在位置に最も近接する第１光源以外の第１光源は点灯しないことから、より効果的に無駄な点灯を防止することができる。また、ユーザに対してより確実にＵＶ−Ｂを放射することができる。
【００７７】
また、本実施形態によれば、ユーザの存在位置以外の場所にはＵＶ−Ｂは放射されないことから、室内にプラスチック製品が置いてある場合、プラスチック製品にＵＶ−Ｂが過剰に照射され、プラスチック製品が劣化してしまうことを軽減することができる。
【００７８】
＜変形例＞
本実施形態では、照明装置４００は、ＵＶ−Ｂを放射する光源部と可視光を放射する光源部とが分離した構成になっているが、この構成に限定される訳ではない。例えば、照明装置４００には、第１光源１０および第２光源２０を備える光源部２（実施形態１および２参照）が、第１光源部２ａ´および第２光源部２ｂの代わりに備えられていてもよい。
【００７９】
この場合、点灯制御部５２は、４個の光源部２のうち、ユーザの存在位置に最も近接する光源部２に備えられた第１光源１０のみを点灯させる。換言すれば、点灯制御部５２は、存在判定部３２ｂから入力された位置情報に基づいて、ユーザの存在位置にのみＵＶ−Ｂを放射させるものであればよい。
【００８０】
点灯制御部５２が上記のような点灯制御を行うことにより、ユーザの存在位置以外の場所にＵＶ−Ｂは放射されない。そのため、ＵＶ−Ｂを放射する光源部について、より効果的に無駄な点灯を防止することができる。また、ユーザに対してより確実にＵＶ−Ｂを放射することができる。
【００８１】
〔実施形態５〕
本発明の他の実施形態について、図１６および図１７に基づいて説明すれば、以下のとおりである。なお、説明の便宜上、前記実施形態にて説明した部材と同じ機能を有する部材については、同じ符号を付記し、その説明を省略する。
【００８２】
＜照明システム５００の具体的構成＞
照明システム５００の具体的構成について、図１６を用いて説明する。図１６は、照明システム５００の具体的構成を示すブロック図である。照明システム５００は、ユーザが屋外で浴びたＵＶ−Ｂ照射量（紫外線の照射量）を順次積算することで得られる合計量（累積紫外線照射量）を算出し、該合計量に基づいてユーザに所定量のＵＶ−Ｂを照射するためのシステムである。照明システム５００は、図１６に示すように、指輪型のウエアラブルデバイス（身体装着型の紫外線照射量測定機器）５１０および照明装置５２０を備えている。
【００８３】
（指輪型のウエアラブルデバイス５１０の具体的構成）
指輪型のウエアラブルデバイス（以下、「ウエアラブルデバイス」と略記する）５１０は、ユーザが屋外で浴びた累積紫外線照射量を算出し、該合計量が所定量に達しているか否かを判定するための指輪型の電子機器である（外観については図示せず）。ここで、所定量は、例えば、日本人に多いスキンタイプIIIを基準に所定量を設定した場合、該所定量は１８０（ＵＶ−Ｂのパワーを３０ｍＷとすれば、所定時間は６分）Ｊ／ｍ２となる。ウエアラブルデバイス５１０は、図１６に示すように、紫外線センサ（紫外線照射量検知部）７０、累積紫外線照射量算出部８０および所定量判定部９０を備えている。
【００８４】
紫外線センサ７０は、ある時点においてユーザが屋外で浴びたＵＶ−Ｂ照射量を検知し、検知結果を累積紫外線照射量算出部８０に出力する。累積紫外線照射量算出部８０は、紫外線センサ７０から入力されたＵＶ−Ｂ照射量を順次積算していき、累積紫外線照射量を算出する。そして、算出結果を所定量判定部９０に出力する。
【００８５】
所定量判定部９０は、累積紫外線照射量算出部８０から入力された累積紫外線照射量と所定量とを比較することにより、累積紫外線照射量が所定量に達しているか否かを判定し、判定結果を照明装置５２０に送信する。
【００８６】
また、所定量判定部９０は、累積紫外線照射量が所定量に達していないと判定した場合、所定量と累積紫外線照射量との差を算出する。次に、所定量判定部９０は、算出結果と、あらかじめ所定量判定部９０に記憶させておいた第１光源部２ａから放射されるＵＶ−Ｂのパワーとに基づいて、第１光源部２ａの点灯時間を算出する。そして、算出した点灯時間も、上記判定結果と併せて照明装置５２０に送信する。
【００８７】
なお、ウエアラブルデバイス５１０は本実施形態のような指輪型に限定されず、例えば、腕時計型またはヘッドフォン型のものであってもよい。
【００８８】
（照明装置５２０の具体的構成）
照明装置５２０が備えている制御部４３（点灯制御部５３）以外の部材については、実施形態３に係る照明装置３００と同様であるため、その説明を省略する。
【００８９】
点灯制御部５３は、所定量判定部９０から受信した判定結果に基づいて、第１光源部２ａおよび第２光源部２ｂの点灯を制御する。具体的には、点灯制御部５３は、所定量判定部９０から累積紫外線照射量が所定量に達しているとの判定結果を受信した場合、第２光源部２ｂのみを点灯させる（照明装置５２０が配置された室内にユーザが存在する場合のみ）。また、点灯制御部５３は、上記室内からユーザがいなくなった場合は、第２光源部２ｂを消灯させる。
【００９０】
一方、所定量判定部９０から累積紫外線照射量が所定量に達していないとの判定結果を受信した場合、点灯制御部５３は、併せて受信した点灯時間だけ第１光源部２ａを点灯させる。また、点灯制御部５３は、上記室内にユーザが存在する場合のみ第１光源部２ａおよび第２光源部２ｂを点灯させ、上記室内からユーザがいなくなった場合は、第１光源部２ａおよび第２光源部２ｂを消灯させる。
【００９１】
なお、累積紫外線照射量が所定量に達していない場合における第１光源部２ａの点灯制御は、必ずしも、本実施形態のように点灯時間に基づいてなされる必要はない。例えば、所定量判定部９０から所定量と累積紫外線照射量との差（以下、「必要量」とする）を受信し、第１光源部２ａから放射されるＵＶ−Ｂが必要量に達したか否かで、第１光源部２ａの消灯を制御するようにしてもよい。
【００９２】
また、照明装置５２０が備える光源部としては、第１光源部２ａに代えて第１光源部２ａ´が備えられてもよい。また、第１光源部２ａおよび第２光源部２ｂに代えて光源部２が備えられてもよい。光源部２を用いる場合、照明装置５２０は、存在判定部３２ｂの代わりに存在判定部３１ｂを備えていてもよいし、撮像部３１ａおよび存在判定部３２ｂの代わりにユーザ検知部３０を備えていてもよい。
【００９３】
＜照明システム５００による第１光源部２ａおよび第２光源部２ｂの点灯の制御方法＞
次に、図１７を用いて、照明システム５００による第１光源部２ａおよび第２光源部２ｂの点灯の制御方法について説明する。図１７は、上記制御方法を示すフローチャートである。図１７に示すように、まず、紫外線センサ７０は、ある時点においてユーザが屋外で浴びたＵＶ−Ｂ照射量を検知し、検知結果を累積紫外線照射量算出部８０に出力する（Ｓ５００、紫外線照射量検知工程）。次に、累積紫外線照射量算出部８０は、紫外線センサ７０から入力されたＵＶ−Ｂ照射量を順次積算していき、累積紫外線照射量を算出する。そして、算出結果を所定量判定部９０に出力する（Ｓ５０１、積紫外線照射量算出工程）。
【００９４】
次に、所定量判定部９０は、累積紫外線照射量算出部８０から入力された累積紫外線照射量と所定量とを比較した結果、累積紫外線照射量が所定量に達していると判定した場合（Ｓ５０２（所定量判定工程）でＹ）、その旨の判定結果を点灯制御部５３に送信する。一方、累積紫外線照射量が所定量に達していないと判定した場合（Ｓ５０２でＮ）、所定量判定部９０は、第１光源部２ａの点灯時間を算出し、算出結果を上記判定結果とともに点灯制御部５３に送信する（Ｓ５０４、点灯時間算出工程）。
【００９５】
Ｓ５０４〜Ｓ５１２の処理については、図１２のフローチャートにおけるＳ３００〜３０８の処理と同様であるため、その説明を省略する。
【００９６】
次に、Ｓ５０２でＹと判定した場合、撮像部３１ａは、照明装置５２０が配置された室内を撮影して画像情報を生成し、該画像情報を存在判定部３２ｂに出力する（Ｓ５１３、第３室内撮影工程）。
【００９７】
次に、存在判定部３２ｂは、上記画像情報に基づいて上記室内にユーザが存在すると判定した場合（Ｓ５１４（第３存在判定工程）でＹ）、その旨の判定結果を点灯制御部５３に出力する。一方、Ｓ５１４でＮと判定した場合、存在判定部３２ｂは、上記室内にユーザが存在するか否かを再び判定する。
【００９８】
次に、点灯制御部５３は、存在判定部３２ｂから上記判定結果を入力された場合、第２光源部２ｂのみを点灯させる（Ｓ５１５、第２光源部点灯工程）。
【００９９】
次に、撮像部３１ａは、再び照明装置５２０が配置された室内を撮影して画像情報を生成し、該画像情報を存在判定部３２ｂに出力する（Ｓ５１６、第４室内撮影工程）。
【０１００】
次に、存在判定部３２ｂは、上記画像情報に基づいて上記室内にユーザが存在しないと判定した場合（Ｓ５１７（第４存在判定工程）でＹ）、その旨の判定結果を点灯制御部５３に出力する。一方、Ｓ５１７でＮと判定した場合、存在判定部３２ｂは、上記室内にユーザが存在するか否かを再び判定する。
【０１０１】
次に、点灯制御部５３は、存在判定部３２ｂから上記判定結果を入力された場合、第２光源部２ｂを消灯させる（Ｓ５１８、第２光源部消灯工程）。
【０１０２】
＜効果＞
以上のように、本実施形態によれば、照明装置５２０は、該照明装置５２０が配置された室内にユーザが存在する場合にのみ、第１光源部２ａおよび第２光源部２ｂを点灯させる。そのため、第１光源部２ａを含む光源部について、無駄な点灯が生じない照明システムを実現することができる。
【０１０３】
また、照明装置５２０は、ウエアラブルデバイス５１０から累積紫外線照射量が所定量に達していないとの判定結果を受信した場合にのみ、第１光源部２ａを点灯させることができる。また、照明装置５２０は、ウエアラブルデバイス５１０から累積紫外線照射量が所定量に達していないとの判定結果を受信した場合、ユーザに必要なＵＶ−Ｂ照射量に対応する点灯時間だけ、第１光源部２ａを点灯させることができる。
【０１０４】
したがって、ユーザごとの１日当たり必要とされるＵＶ−Ｂ照射量を所定量として設定しておくことで、ユーザにとってＵＶ−Ｂの照射が必要な場合に、必要な量だけ、ユーザは照明装置５２０からＵＶ−Ｂの照射を受けることができる。そのため、第１光源部２ａについて、より確実に無駄な点灯が生じない照明システムを実現することができる。
【０１０５】
〔実施形態６〕
本発明の他の実施形態について、図１８に基づいて説明すれば、以下のとおりである。なお、説明の便宜上、前記実施形態にて説明した部材と同じ機能を有する部材については、同じ符号を付記し、その説明を省略する。
【０１０６】
＜照明システム６００の具体的構成＞
照明システム６００の具体的構成について、図１８を用いて説明する。図１８は、照明システム６００の具体的構成を示すブロック図である。本実施形態に係る照明システム６００は、図１８に示すように、ウエアラブルデバイス５１０に代えて指輪型のウエアラブルデバイス６１０（身体装着型の紫外線照射量測定機器）を備えている点で、実施形態５に係る照明システム５００と異なる。また、照明システム６００は、照明装置５２０に代えて照明装置６２０を備えている点でも、照明システム５００と異なる。
【０１０７】
指輪型のウエアラブルデバイス（以下、「ウエアラブルデバイス」と略記する）６１０については、所定量判定部９０を備えていない点以外は、実施形態５に係るウエアラブルデバイス５１０と同様であるため、その説明を省略する。なお、本実施形態のような指輪型に限定されず、例えば、腕時計型またはヘッドフォン型のものであってもよい点についても、ウエアラブルデバイス５１０と同様である。
【０１０８】
照明装置６２０についても、さらに所定量判定部９０を備えている点以外は、実施形態５に係る照明装置５２０と同様であるため、その説明を省略する。
【０１０９】
なお、所定量判定部９０から必要量を受信し、第１光源部２ａから放射されるＵＶ−Ｂが必要量に達したか否かで、第１光源部２ａの消灯を制御するようにしてもよい点、第１光源部２ａ´または光源部２が備えられてもよい点も、照明装置５２０と同様である。さらに、光源部２を用いる場合、存在判定部３１ｂまたはユーザ検知部３０を備えていてもよい点についても、照明装置５２０と同様である。
【０１１０】
＜照明システム６００による第１光源部２ａおよび第２光源部２ｂの点灯の制御方法＞
照明システム６００による第１光源部２ａおよび第２光源部２ｂの点灯の制御方法を示すフローチャートについては、図１７と同様になるため、その説明を省略する。
【０１１１】
＜効果＞
以上のように、本実施形態によれば、照明装置６２０は、ウエアラブルデバイス６１０から受信した累積紫外線照射量が所定量に達していないと判定した場合にのみ、第１光源部２ａを点灯させることができる。また、照明装置６２０は、ウエアラブルデバイス６１０から受信した累積紫外線照射量が所定量に達していないと判定した場合、ユーザに必要なＵＶ−Ｂ照射量に対応する点灯時間だけ、第１光源部２ａを点灯させることができる。
【０１１２】
したがって、ユーザごとの１日当たり必要とされるＵＶ−Ｂ照射量を所定量として設定しておくことで、ユーザにとってＵＶ−Ｂの照射が必要な場合に、必要な量だけ、ユーザは照明装置６２０からＵＶ−Ｂの照射を受けることができる。そのため、第１光源部２ａについて、より確実に無駄な点灯が生じない照明システムを実現することができる。
【０１１３】
〔ソフトウェアによる実現例〕
照明装置１００〜４００、５２０および６２０の制御ブロック（特に制御部４０〜４３）は、集積回路（ＩＣチップ）等に形成された論理回路（ハードウェア）によって実現してもよいし、ＣＰＵ（Central Processing Unit）を用いてソフトウェアによって実現してもよい。
【０１１４】
後者の場合、照明装置１００〜４００、５２０および６２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１５】
〔付記事項〕
実施形態１〜６の照明装置１００〜４００、５２０および６２０に用いられる人感センサ３０ａまたは撮像部３１ａは、ユーザを検知できれば、照明装置のどの箇所に設置されていてもよい。
【０１１６】
〔まとめ〕
本発明の態様１に係る照明装置（１００、２００、３００、４００）は、
ビタミンＤの生成を促進する紫外光を放射する光源部（２、第２光源部２ａ、第１光源部２ａ´）と、
自装置が配置された室内においてユーザを検知するユーザ検知部（３０、３１、３２）と、
上記ユーザ検知部が上記室内において上記ユーザを検知した場合にのみ、上記光源部が点灯するよう、上記光源部の点灯を制御する点灯制御部（５０、５１、５２）と、を備えている。
【０１１７】
上記の構成によれば、点灯制御部は、ビタミンＤの生成を促進する紫外光を放射する光源部について、ユーザ検知部が室内においてユーザを検知した場合にのみ光源部が点灯するよう、該光源部の点灯を制御する。したがって、ユーザ検知部がユーザを検知しない場合には、光源部は点灯しない。そのため、人体内でのビタミンＤの生成を促進し、美肌効果に優れ、かつ、人体に対する安全性も高い紫外光を放射する光源部について、無駄な点灯を防止することができ、ひいては光源部の寿命を伸長させることができる。
【０１１８】
本発明の態様２に係る照明装置は、上記態様１において、
上記光源部は、３００ｎｍ以上３１５ｎｍ以下の波長域の紫外光を放射してもよい。
【０１１９】
一般に、ＵＶ−Ｂの中でも、３００ｎｍ以上３１５ｎｍ以下の波長域の紫外光は、人体内でのビタミンＤの生成を促進する。上記構成によれば、光源部は、３００ｎｍ以上３１５ｎｍ以下の波長域の紫外光を放射する。そのため、人体に対する安全性が確保されるとともに、無駄な光源部の点灯を防止することができる照明装置について、より効果的に、人体内でのビタミンＤの生成を促進することができる。
【０１２０】
本発明の態様３に係る照明装置（１００）は、上記態様１または２において、
上記ユーザ検知部（３０）は、人感センサ（３０ａ）を備えていてもよい。
【０１２１】
一般に、人感センサは、検知範囲内の温度と温度差のあるものが動いたときに、その動きを検知することによって、検知範囲内に人が存在するか否かを検知するものである。上記構成によれば、ユーザ検知部は人感センサであることから、例えば、あらかじめユーザの体温を入力しておくことにより、室内においてユーザを精度高く検知することができる。そのため、より確実に、無駄な光源部の点灯を防止することができる。
【０１２２】
本発明の態様４に係る照明装置（２００）は、上記態様１または２において、
上記ユーザ検知部（３１）は、
上記室内を撮影する撮像部（３１ａ）と、
上記撮像部から入力された上記室内の画像情報に基づいて、上記室内に上記ユーザが存在しているか否かを判定する存在判定部（３１ｂ）と、を備え、
上記点灯制御部（５０）は、上記存在判定部が上記室内に上記ユーザが存在していると判定した場合にのみ上記光源部（２）が点灯させてもよい。
【０１２３】
上記の構成によれば、存在判定部は、撮像部から入力された室内の画像情報に基づいて、室内にユーザが存在するか否かを判定する。画像情報は、撮像対象を精密に映し出すことから、例えば、あらかじめ存在判定部にユーザの画像情報を入力しておくことによって、存在判定部は、精度高く室内にユーザが存在するか否かを判定することができる。また、画像情報は、室内の温度変化の影響を受けないため、存在判定部は、一年を通じて安定した精度で室内にユーザが存在するか否かを判定することができる。そのため、より確実に、無駄な光源部の点灯を防止することができる。
【０１２４】
本発明の態様５に係る照明装置（３００、４００）は、上記態様４において、
上記存在判定部（３２ａ）は、上記室内に上記ユーザが存在していると判定した場合にのみ、上記室内の画像情報に基づいて、上記室内における上記ユーザの存在位置を示す位置情報を生成し、
上記点灯制御部（５１、５２）は、上記存在判定部から入力された上記位置情報に基づいて、上記光源部（第１光源部２ａ、第１光源部２ａ´）が上記ユーザの存在位置にのみ上記紫外光を放射させてもよい。
【０１２５】
上記の構成によれば、点灯制御部は、室内にユーザが存在していると判定した場合にのみ、ユーザの存在位置を示す位置情報に基づいて、光源部がユーザの存在位置にのみ紫外光を放射させる。そのため、ユーザの存在位置以外の場所には紫外光は放射されないことから、より効果的に無駄な光源部の点灯を防止することができる。また、ユーザに対してより確実に、人体内でのビタミンＤの生成を促進し、美肌効果に優れ、かつ、人体に対する安全性の高い紫外光を放射することができる。また、ユーザの存在位置以外の場所にはＵＶ−Ｂは放射されないことから、室内にプラスチック製品が置いてある場合に、プラスチック製品にＵＶ−Ｂが過剰に照射され、プラスチック製品が劣化してしまうことを軽減することができる。
【０１２６】
本発明の態様６に係る照明装置（３００）は、上記態様５において、
上記光源部（第１光源部２ａ）は、自装置に設けられた保持部（２ｃ）に可動な状態で保持されており、
上記点灯制御部（５１）は、上記存在判定部から入力された上記位置情報に基づいて、上記光源部における上記紫外光の放射方向を、上記ユーザの存在位置にのみ向けてもよい。
【０１２７】
上記の構成によれば、点灯制御部は、室内にユーザが存在していると判定した場合にのみ、ユーザの存在位置を示す位置情報に基づいて、光源部における紫外光の放射方向をユーザの存在位置にのみ向ける。そのため、ユーザの存在位置以外の場所には紫外光は放射されないことから、より効果的に無駄な光源部の点灯を防止することができる。また、ユーザに対してより確実に、人体内でのビタミンＤの生成を促進し、美肌効果に優れ、かつ、人体に対する安全性の高い紫外光を放射することができる。また、ユーザの存在位置にのみ向けてＵＶ−Ｂを放射し、ユーザの存在位置以外の場所にはＵＶ−Ｂは放射されないことから、室内にプラスチック製品が置いてある場合に、プラスチック製品にＵＶ−Ｂが過剰に照射され、プラスチック製品が劣化してしまうことを軽減することができる。
【０１２８】
本発明の態様７に係る照明装置（４００）は、上記態様５において、
上記光源部（第１光源部２ａ´）は、ビタミンＤの生成を促進する紫外光を放射する複数の光源（第１光源１０ａ、第１光源１０ｂ、第１光源１０ｃ、第１光源１０ｄ）を含んでおり、
上記点灯制御部（５２）は、上記存在判定部から入力された上記位置情報に基づいて、上記複数の光源のうち上記ユーザの存在位置に最も近接する光源（第１光源１０ａ、第１光源１０ｂ、第１光源１０ｃ、第１光源１０ｄ）のみを点灯させてもよい。
【０１２９】
上記の構成によれば、点灯制御部は、室内にユーザが存在していると判定した場合にのみ、ユーザの存在位置を示す位置情報に基づいて、複数の光源のうちユーザの存在位置に最も近接する光源のみが点灯させる。そのため、ユーザの存在位置に最も近接する光源以外の光源は点灯しないことから、より効果的に無駄な光源部の点灯を防止することができる。また、ユーザに対してより確実に、人体内でのビタミンＤの生成を促進し、美肌効果に優れ、かつ、人体に対する安全性の高い紫外光を放射することができる。また、ユーザの存在位置に最も近接する光源のみが点灯させ、ユーザの存在位置に最も近接する光源以外の光源は点灯しないことから、室内にプラスチック製品が置いてある場合に、プラスチック製品にＵＶ−Ｂが過剰に照射され、プラスチック製品が劣化してしまうことを軽減することができる。
【０１３０】
本発明の態様８に係る照明システム（５００）は、
身体装着型の紫外線照射量測定機器（指輪型のウエアラブルデバイス５１０）と照明装置（５２０）とを備えた照明システムであって、
上記身体装着型の紫外線照射量測定機器は、
ある時点においてユーザが浴びた、ビタミンＤの生成を促進する紫外線の照射量を検知する紫外線照射量検知部（紫外線センサ７０）と、
上記紫外線照射量検知部から入力された上記紫外線の照射量を順次積算していき、累積紫外線照射量を算出する累積紫外線照射量算出部（８０）と、
上記累積紫外線照射量算出部から入力された上記累積紫外線照射量が所定量に達しているか否かを判定し、判定結果を上記照明装置に送信する所定量判定部（９０）と、を備え、
上記照明装置は、
ビタミンＤの生成を促進する紫外光を放射する光源部（２、第１光源部２ａ、第１光源部２ａ´）と、
上記所定量判定部から受信した上記判定結果に基づいて、上記光源部の点灯を制御する点灯制御部（５３）と、を備えている。
【０１３１】
上記の構成によれば、身体装着型の紫外線照射量測定機器は、累積紫外線照射量が所定量に達しているか否かを判定し、判定結果を照明装置に送信する。また、照明装置は、身体装着型の紫外線照射量測定機器から受信した判定結果に基づいて、ビタミンＤの生成を促進する紫外光を放射する光源部の点灯を制御する。
【０１３２】
したがって、照明装置は、例えば、身体装着型の紫外線照射量測定機器から累積紫外線照射量が所定量に達していないとの判定結果を受信した場合にのみ、光源部が点灯するよう、光源部の点灯を制御することができる。また、照明装置は、光源部が一旦点灯した後、累積紫外線照射量が所定量に達しているとの判定結果を受信した場合にのみ、光源部の点灯が終了する（すなわち、光源部が消灯する）よう光源部の点灯を制御することができる。
【０１３３】
したがって、ユーザごとの１日当たり必要とされる紫外線照射量を所定量として設定しておくことで、ユーザにとってビタミンＤの生成を促進する紫外線の照射が必要な場合に、必要な量だけ、ユーザは照明装置から上記紫外線の照射を受けることができる。そのため、ビタミンＤの生成を促進する紫外光を放射する光源部について、無駄な点灯が生じない照明システムを実現することができる。
【０１３４】
本発明の態様９に係る照明システム（６００）は、
身体装着型の紫外線照射量測定機器（指輪型のウエアラブルデバイス６１０）と照明装置（６２０）とを備えた照明システムであって、
上記身体装着型の紫外線照射量測定機器は、
ある時点においてユーザが浴びた、ビタミンＤの生成を促進する紫外線の照射量を検知する紫外線照射量検知部（紫外線センサ７０）と、
上記紫外線照射量検知部から入力された上記紫外線の照射量を順次積算して累積紫外線照射量を算出し、算出した上記累積紫外線照射量を上記照明装置に送信する累積紫外線照射量算出部（８０）と、を備え、
上記照明装置は、
ビタミンＤの生成を促進する紫外光を放射する光源部（２、第１光源部２ａ、第１光源部２ａ´）と、
上記累積紫外線照射量算出部から受信した上記累積紫外線照射量が、所定量に達しているか否かを判定する所定量判定部（９０）と、
上記所定量判定部から入力された判定結果に基づいて、上記光源部の点灯を制御する点灯制御部（５３）と、を備えている。
【０１３５】
上記の構成によれば、身体装着型の紫外線照射量測定機器は、累積紫外線照射量算出部において算出された累積紫外線照射量を照明装置に送信する。また、照明装置は、身体装着型の紫外線照射量測定機器から受信した累積紫外線照射量が所定量に達しているか否かを判定し、その判定結果に基づいて、ビタミンＤの生成を促進する紫外光を放射する光源部の点灯を制御する。
【０１３６】
したがって、照明装置は、例えば、身体装着型の紫外線照射量測定機器から受信した累積紫外線照射量が所定量に達していないと判定した場合にのみ、光源部が点灯するよう、光源部の点灯を制御することができる。また、照明装置は、光源部が一旦点灯した後、身体装着型の紫外線照射量測定機器から受信した累積紫外線照射量が所定量に達していると判定した場合にのみ、光源部の点灯が終了する（すなわち、光源部が消灯する）よう光源部の点灯を制御することができる。
【０１３７】
したがって、ユーザごとの１日当たり必要とされる紫外線照射量を所定量として設定しておくことで、ユーザにとってビタミンＤの生成を促進する紫外線の照射が必要な場合に、必要な量だけ、ユーザは照明装置から上記紫外線の照射を受けることができる。そのため、ビタミンＤの生成を促進する紫外光を放射する光源部について、無駄な点灯が生じない照明システムを実現することができる。
【０１３８】
本発明の態様１０に係る照明システム（５００、６００）は、上記態様８または９において、
上記照明装置（５２０、６２０）は、
上記照明装置が取り付けられた室内を撮影する撮像部（３１ａ）と、
上記撮像部から入力された上記室内の画像情報に基づいて、上記室内に上記ユーザが存在しているか否かを判定する存在判定部（３２ｂ）と、をさらに備え、
上記存在判定部は、上記室内に上記ユーザが存在していると判定した場合にのみ、上記室内の画像情報に基づいて、上記室内における上記ユーザの存在位置を示す位置情報を生成し、
上記点灯制御部は、上記存在判定部から入力された上記位置情報に基づいて、上記光源部が上記ユーザの存在位置にのみ上記紫外光を放射させてもよい。
【０１３９】
上記の構成によれば、照明装置は、室内にユーザが存在していると判定した場合にのみ、ユーザの存在位置を示す位置情報に基づいて、光源部がユーザの存在位置にのみ紫外光を放射させる。そのため、ユーザの存在位置以外の場所には紫外光は放射されないことから、より効果的に無駄な光源部の点灯を防止できる照明システムを実現することができる。また、ユーザに対してより確実に、人体内でのビタミンＤの生成を促進し、美肌効果に優れ、かつ、人体に対する安全性の高い紫外光を放射できる照明システムを実現することができる。
【０１４０】
本発明の態様１１に係る照明システムは、上記態様１０において、
上記光源部（第１光源部２ａ）は、上記照明装置に設けられた保持部（２ｃ）に可動な状態で保持されており、
上記点灯制御部は、上記存在判定部から入力された上記位置情報に基づいて、上記光源部における上記紫外光の放射方向を、上記ユーザの存在位置にのみ向けさせてもよい。
【０１４１】
上記の構成によれば、照明装置は、室内にユーザが存在していると判定した場合にのみ、ユーザの存在位置を示す位置情報に基づいて、光源部における紫外光の放射方向をユーザの存在位置にのみ向ける。そのため、ユーザの存在位置以外の場所には紫外光は放射されないことから、より効果的に無駄な光源部の点灯を防止できる照明システムを実現することができる。また、ユーザに対してより確実に、美肌効果に優れ、かつ、人体に対する安全性も高い紫外光を放射できる照明システムを実現することができる。
【０１４２】
本発明の態様１２に係る照明システムは、上記態様１０において、
上記光源部（第２光源部２ａ´）は、ビタミンＤの生成を促進する紫外光を放射する複数の光源（第１光源１０ａ、第１光源１０ｂ、第１光源１０ｃ、第１光源１０ｄ）を含んでおり、
上記点灯制御部は、上記存在判定部から入力された上記位置情報に基づいて、上記複数の光源のうち最も上記ユーザの存在位置に近接する光源（第１光源１０ａ、第１光源１０ｂ、第１光源１０ｃ、第１光源１０ｄ）のみを点灯させてもよい。
【０１４３】
上記の構成によれば、照明装置は、室内にユーザが存在していると判定した場合にのみ、ユーザの存在位置を示す位置情報に基づいて、複数の光源のうちユーザの存在位置に最も近接する光源のみを点灯させる。そのため、ユーザの存在位置に最も近接する光源以外の光源は点灯しないことから、より効果的に無駄な光源部の点灯を防止できる照明システムを実現することができる。また、ユーザに対してより確実に、人体内でのビタミンＤの生成を促進し、美肌効果に優れ、かつ、人体に対する安全性の高い紫外光を放射できる照明システムを実現することができる。
【０１４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４５】
本発明は、紫外光を放射する照明装置および照明システム全般に利用することができる。
【符号の説明】
【０１４６】
２  光源部
２ａ、２ａ´  第１光源部（光源部）
２ｃ  保持部
１０ａ、１０ｂ、１０ｃ、１０ｄ  第１光源（光源）
３０、３１、３２  ユーザ検知部
３０ａ  人感センサ
３１ａ  撮像部
３１ｂ、３２ｂ  存在判定部
５０、５１、５２、５３  点灯制御部
７０  紫外線センサ（紫外線照射量検知部）
８０  累積紫外線照射量算出部
９０  所定量判定部
１００、２００、３００、４００、５２０、６２０  照明装置
５００、６００  照明システム
５１０、６１０  指輪型のウエアラブルデバイス（身体装着型の紫外線照射量測定機器）
９００  室内
【図１】
0006416002.tif 000002
【図２】
0006416002.tif 000003
【図３】
0006416002.tif 000004
【図４】
0006416002.tif 000005
【図５】
0006416002.tif 000006
【図６】
0006416002.tif 000007
【図７】
0006416002.tif 000008
【図８】
0006416002.tif 000009
【図９】
0006416002.tif 000010
【図１０】
0006416002.tif 000011
【図１１】
0006416002.tif 000012
【図１２】
0006416002.tif 000013
【図１３】
0006416002.tif 000014
【図１４】
0006416002.tif 000015
【図１５】
0006416002.tif 000016
【図１６】
0006416002.tif 000017
【図１７】
0006416002.tif 000018
【図１８】
0006416002.tif 000019